(57)【特許請求の範囲】
【請求項１】
プラグと、試験台と、この試験台の一端部に設けられたピストンと、この試験台の他端部に設けられたスタンドとからなる配管の漏れ検査装置であって、前記プラグは、配管の端面を気密に塞ぐ栓部と、この栓部の背後に設けられた係止部とからなり、前記スタンドには、プラグの係止部を係止したり管を支持したりする支持部が設けられ、前記ピストンは、試験台に固定されたシリンダーとこのシリンダーに伸縮自在に挿入されたピストンロッドとからなり、このピストンロッドの先端には、配管の端面を気密に塞ぐキャップが取り付けられ、このキャップには、圧縮空気を注入する通孔が設けられており、
前記試験台には、ピストンロッドのストロークの長さより短い距離を隔てて、前記ピストンロッドの軸方向に所定の間隔をあけて複数個のスタンドが設けられており、
前記プラグの係止部は、管の外周面とほぼ同じ外周面を有する中央部と、この中央部の両側に周方向に突出した鍔部とからなり、前記複数個のスタンドの支持部には、係止部の中央部または管を挟持可能なＵ字形の窪みがそれぞれ設けられていることを特徴とする配管の漏れ検査装置。
【請求項２】
請求項１に記載の配管の洩れ検査装置を使用して配管の洩れを検査する配管洩れ検査方法であって、配管の一端にプラグの栓部を気密に取り付け、このプラグの係止部をスタンドの支持部に係止させて取り付け、ピストンを伸ばして配管の他端にピストンのキャップを気密状態に押し付け、キャップの通孔から圧縮空気を配管内に注入し、圧縮空気の注入を止めて配管内に圧縮空気を封じ込めた後、配管内に封じ込められた圧縮空気の圧力の低下の有無を測定して配管の漏れを検査することを特徴とする配管の漏れ検査方法。
【請求項３】
住宅ユニットの生産工場において住宅ユニットを生産する際、もしくは、ユニット住宅の施工前に、請求項２に記載の方法で配管の洩れを検査した後に、この配管を住宅ユニットに取り付け、この複数個の住宅ユニットを施工現場に据え付けると共に、配管同士を連結することを特徴とする住宅ユニットの施工方法。
【発明の詳細な説明】
【０００１】
【発明の属する技術分野】
本発明は、住宅ユニットに取り付ける配管の漏れを検査するのに好適な配管漏れ検査装置及び検査方法と、この検査方法で検査した配管を取り付けた住宅ユニットの施工方法に関する。
【０００２】
【従来の技術】
従来、配管の漏れを検査する検査装置及び検査装置は種々知られている。
例えば、特開平７−１４００３５号公報には、配管の一端を気密に塞ぐフランジと、配管内部に挿入され、配管内部を気密に塞ぐ押さえ板と、このフランジと押さえ板とを連結する連結軸とからなる耐圧試験用治具が知られている。
この耐圧試験用治具は、フランジと押さえ板とを配管等の耐圧や漏れを検査する場所の両側に取り付け、フランジまたは配管の一部に設けられた注入口から圧縮空気や圧縮液体を注入して耐圧や漏れを検査するものである。
【０００３】
このように漏れを検査する場所の両側を塞いで、この中に圧縮空気を注入して漏れを検査する方法の一例を説明すると、図１２に示すように、フランジや配管に接続された管または配管を構成する管１００に、圧力計２０１とバルブ２０２を取り付けた管２００の一端２０３を取り付け、この配管２００の他端２０４に、圧縮空気の発生源に接続されている管３００を接続し、バルブ２０２を開いて圧縮空気を配管内に注入した後、バルブ２０２を閉じて配管内に圧縮空気を封じ込める。この状態で配管内に封じ込められた圧縮空気の圧力の低下の有無を圧力計２０１で測定して検査するのである。
【０００４】
又、特開平７−１２０３４９号公報には、建築物の配管の漏洩検知方法が記載されている。
この建築物の配管の漏洩検知方法は、配管の開口部からロープの先端に取り付けたゴム袋を所定の位置まで入れた後に、このゴム袋を膨らませて配管の通路を塞ぎ、開口部から水を入れて、配管の洩れを検査する方法である。
【０００５】
【発明が解決しようとする課題】
しかし、特開平７−１４００３５号公報に記載の耐圧試験用治具では、この耐圧試験治具を耐圧や漏れを検査する配管の一つずつに取り付けて検査する必要があり極めて煩瑣であるし、取り付けるのに長時間を要する。特に、大量生産する住宅ユニットに取り付ける配管の漏れ検査方法では、多数の長さの異なる所定長さの配管の漏れを次々と検査する必要があるが、上記のような配管に１本ずつ耐圧試験具を取り付けて検査する方法では、極めて不便である。
【０００６】
又、住宅ユニットでは、住宅毎に台所の調理台や洗面所の洗面台や風呂場の浴槽等の位置や高さが異なるために、この調理台等に接続する配管の長さが異なる。このように、住宅ユニットに取り付ける配管は長さが異なるので、上記方法で配管の漏れを検査しようとすると、フランジと押さえ板とを連結する長さの異なる連結軸を備えた多数の耐圧試験用治具が必要となり極めて不便である。
【０００７】
特開平７−１２０３４９号公報に記載の建築物の配管の漏洩検知方法では、既設の建築物に取り付けられている配管の漏れを検査するのには適しているが、大量生産する住宅ユニットに使用する配管の漏れ検査方法に適用すると、一本ずつゴム袋を配管内に挿入してゴム袋を膨らませて水を入れて、配管の漏れを検査する必要があるため、多数の配管の洩れを検査するには極めて不便であり、大量生産する住宅ユニットに使用する配管の漏れ検査方法には適しない。
【０００８】
そこで、本発明の目的は、大量生産する住宅ユニットに取り付ける配管のように、長さの異なる多数の配管を速く簡単に検査することのできる配管の漏れ検査装置及び検査方法と、この検査方法で検査した配管を取り付けた住宅ユニットの施工方法を提供することである。
【０００９】
【課題を解決するための手段】
本発明は上記目的を達成するためになしたものであって、請求項１記載の発明は、プラグと、試験台と、この試験台の一端部に設けられたピストンと、この試験台の他端部に設けられたスタンドとからなる配管の漏れ検査装置であって、前記プラグは、配管の端面を気密に塞ぐ栓部と、この栓部の背後に設けられた係止部とからなり、前記スタンドには、プラグの係止部を係止したり管を支持したりする支持部が設けられ、前記ピストンは、試験台に固定されたシリンダーとこのシリンダーに伸縮自在に挿入されたピストンロッドとからなり、このピストンロッドの先端には、配管の端面を気密に塞ぐキャップが取り付けられ、このキャップには、圧縮空気を注入する通孔が設けられており、前記試験台には、ピストンロッドのストロークの長さより短い距離を隔てて、前記ピストンロッドの軸方向に所定の間隔をあけて複数個のスタンドが設けられており、前記プラグの係止部は、管の外周面とほぼ同じ外周面を有する中央部と、この中央部の両側に周方向に突出した鍔部とからなり、前記複数個のスタンドの支持部には、係止部の中央部または管を挟持可能なＵ字形の窪みがそれぞれ設けられているものである。
【００１０】
この請求項１記載の発明に使用するキャップとは、配管の端面に押し付けて配管の端面を気密に塞ぐものである。好ましいキャップは、先端に凹状の窪みを設け、この窪みの底面または側面にゴム状弾性板を設けていて、この窪みの中に配管の端面を挿入したとき、配管の先端または側面がゴム状弾性板に密着し、この部分が気密になる構造を有するものである。
【００１３】
請求項２記載の発明は、請求項１に記載の配管の洩れ検査装置を使用して配管の洩れを検査する配管洩れ検査方法であって、配管の一端にプラグの栓部を気密に取り付け、このプラグの係止部をスタンドの支持部に係止させて取り付け、ピストンを伸ばして配管の他端にピストンのキャップを気密状態に押し付け、キャップの通孔から圧縮空気を配管内に注入し、圧縮空気の注入を止めて配管内に圧縮空気を封じ込めた後、配管内に封じ込められた圧縮空気の圧力の低下の有無を測定して配管の漏れを検査するものである。
【００１７】
請求項３記載の発明は、住宅ユニットの生産工場において住宅ユニットを生産する際、もしくは、ユニット住宅の施工前に、請求項２に記載の方法で配管の洩れを検査した後に、この配管を住宅ユニットに取り付け、この複数個の住宅ユニットを施工現場に据え付けると共に、配管同士を連結するものである。
【００１８】
（作用）
請求項１記載の配管の漏れ検査装置を使用して、請求項４記載の配管の漏れ検査方法で検査する作用について説明する。
先ず、検査する配管の一端にプラグの栓部を取り付け、このプラグの係止部をスタンドの支持部に係止させて配管をスタンドに取り付ける。
すると、プラグは配管の端面を気密に塞ぐ栓部と、この栓部の背後に設けられた係止部とからなるので、このプラグの栓部を配管の一端に取り付けると、このプラグによって配管の一端は気密になる。又、スタンドには、プラグを係止する支持部があるから、このプラグをスタンドに取り付けることができる。
【００１９】
このように配管の一端をプラグに取り付け、このプラグの係止部をスタンドの支持部に係止させて取り付けると、ピストンは試験台の一端部に設けられ、スタンドは試験台の他端部に設けられているので、配管の他端はピストン方向に向いた状態になって、配管の一端が試験台の他端部に取り付けられる。
次に、ピストンロッドを伸ばして、ピストンロッドの先端に取り付けられているキャップを、ピストン方向に向いている配管の他端に押し付ける。
【００２０】
すると、ピストンは試験台に固定されたシリダーとこのシリンダーに伸縮自在に挿入されたピストンロッドとからなり、このピストンロッドの先端には、配管の端面を気密に塞ぐキャップが取り付けられているので、ピストンロッドのキャップを配管の他端に押し付けると、この配管の他端が気密になる。
このように、ピストンロッドを伸ばして配管の他端に押し付ければよい。従って、配管の長さが異なっても、このピストンロッドのストロークの長さを変えることにより配管の一端を気密に塞ぐことができる。
【００２１】
次に、この配管の他端に押し付けられたキャップに設けられている通孔から圧縮空気を配管内に注入する。
すると、このキャップには圧縮空気を注入する通孔が設けられているので、この通孔から圧縮空気を注入することができる。
このようにして圧縮空気を注入し、圧縮空気の注入を止めて配管内に圧縮空気を封じ込める。その後、この配管内の封じ込められた圧縮空気の圧力の低下の有無を測定することにより配管漏れを検査することができる。
【００２２】
このように、ピストンロッドのストロークの長さを変えることにより種々な長さの配管の漏れを検査することができるし、又、配管の一端にプラグを取り付け、このプラグをスタンドに取り付け、ピストンロッドを伸ばして配管の他端にキャップを押し付け、圧縮空気を注入するだけであるので、配管を速く簡単に検査することができる。
従って、長さの異なる多数の配管を検査する住宅ユニットに使用する配管の漏れ検査に好適である。
【００２３】
また、試験台には、ピストンロッドのストロークの長さ以下の距離を隔てて、ピストンロッドの軸方向に所定の間隔をあけて複数個のスタンドが設けられているので、ピストンロッドのストロークの長さだけでは対応できないような長さの異なる複数種類の配管の漏れ検査にも、対応できる。具体的に説明すると、ピストンから遠い第一のスタンドにプラグを取り付けるとピストンロッドを伸ばしても届かない場合には、ピストンロッドを伸ばして届く範囲にある第一のスタンドより短い距離にある第二のスタンドや第三のスタンド等にプラグを取り付けて配管の漏れを検査すればよい。
【００２４】
さらに、プラグの係止部は、管の外周面とほぼ同じ外周面を有する中央部と、この中央部の両側に周方向に突出した鍔部とからなり、前記スタンドの支持部には、係止部の中央部または管を挟持可能なＵ字形の窪みが設けられているので、プラグの係止部をスタンドの支持部に取り付ける際に、このプラグの中央部を、スタンドの支持部のＵ字形の窪みの中に入れる。すると、このＵ字形の窪みの両側の壁によってプラグの中央部が挟持されると同時に、プラグの中央部の両側にある周方向に突出した鍔部がＵ字形の窪みの両側の壁を挟むので、このプラグがスタンドに前後左右に移動できないように係止されて配管がスタンドに取り付けられる。そのために、このプラグを取り付けた配管の他端をピストンロッドで押してもプラグが移動しなくなる。従って、ピストンロッドの先端に取り付けられているキャップを配管の他端に気密状態に押し付けることができる。
【００２５】
ここで、試験台に端から第一スタンド、第二スタンド、・・というように複数個のスタンドが設けられ、配管の一端を途中の第二スタンド等より遠い第一スタンドに取り付ける場合には、スタンドのＵ字形の窪みは管を挟持可能な形状をしているので、配管の中間部を第二スタンド等のＵ字形の窪みの中に入れて支持させることができる。このように、途中にある第二スタンド等を取り外さなくとも配管を取り付けることができる。又、配管の中間部が途中の第二スタンド等に支持されるので、配管が撓まなくなるし、配管の他端をピストンロッドで押しても配管が変形し難くなる。
【００３６】
請求項３記載の発明では、住宅ユニットの生産工場において住宅ユニットを生産する際、もしくは、ユニット住宅の施工前に、請求項２に記載の方法で配管の洩れを検査した後に、この配管を住宅ユニットに取り付け、この複数個の住宅ユニットを施工現場に据え付けると共に、配管同士を連結するので、住宅ユニットを据え付けた後に配管する場合と比較すると施工現場での作業が少なくなる。しかも、検査された配管は水漏れ等がない。従って、据え付けた後にこの工場等で取り付けた配管の漏れ検査をする必要がなく、施工後に各住宅ユニットに取り付けられた配管の連結部のみを検査すればよく施工後の検査が簡単になる。
【００３７】
【発明の実施の形態】
次に、本発明の実施の形態を実施例で示す。
（実施例１）
図１〜図１０は本発明の配管の漏れ検査装置及び検査方法の一実施例を示すもので、図１は配管漏れ検査装置の主要部を示す正面図、図２は長さがほぼ５７３ｍｍの配管を検査している状態の配管とピストンを示す正面図、図３は長さがほぼ３７３ｍｍの配管を検査している状態の一例の配管とピストンを示す正面図、図４は長さがほぼ３７３ｍｍの配管を検査している状態の他の例の配管とピストンを示す正面図、図５は長さがほぼ１７３ｍｍの配管を検査している状態の配管とピストンを示す正面図、図６（イ）は雄形キャップの正面図、（ロ）は（イ）の側面図、（ハ）は（ロ）のＡ−Ａ線における断面図、図７（イ）は雌形キャップを示す正面図、（ロ）は（イ）の側面図、（ハ）は（ロ）のＢ−Ｂ線における断面図、図８（イ）はプラグの一部切欠正面図、（ロ）は（イ）の側面図、図９（イ）はスタンドの正面図、（ロ）は（イ）は側面図、（ハ）は（イ）の平面図、図１０（イ）は試験台の平面図、（ロ）は（イ）の正面図、（ハ）は（イ）の側面図である。
【００３８】
図１〜図１０において、１は配管であり、この配管１は、図２〜図５に示すように、管１１と、この管１１の一端に取り付けられた止水栓１２とからなる。
この実施例１では、図２に示す長さがほぼ５７３ｍｍの配管１−１、図３及び図４に示す長さがほぼ３７３ｍｍの配管１−２、図５に示す長さがほぼ１７３ｍｍの配管１−３の３種類の配管１を検査する例について説明する。
【００３９】
２は配管の漏れ検査装置であり、この配管漏れ検査装置２は、図１に示すように、プラグ３と、試験台４と、試験台４の一端部に設けられたピストン５と、試験台４の他端部に設けられた３個のスタンド６とからなる。
プラグ３は、図８に示すように、配管１の端面を塞ぐ栓部３１と、この栓部３１の背後に設けられた係止部３２とからなる。
栓部３１は配管１の中に挿入されて配管１の端部を塞ぐもので、段状に細くなり、中間部に溝が設けられた挿入部３１１と、この挿入部３１１の根元側に配管１を止めるストッパー３１２とからなる。
【００４０】
係止部３２は管１１の外周面とほぼ同じ外周面を有する中央部３２１と、この中央部３２１の両側に周方向に突出した鍔部３２２、３２２とからなる。
試験台４は、図１０に示すように、長さがほぼ１２４５ｍｍ、幅がほぼ６０ｍｍ、高さがほぼ３０ｍｍの断面コ字形の長尺体であり、表面にピストン５やスタンド６を取り付ける通孔４１が２個ずつ対になって５ヵ所に設けられている。
尚、この５ヵ所に設けられている５組の通孔４１の中の一端から２組目まではシリンダー５１を取り付けるものであり、他端から３組目まではスタンド６を取り付けるものである。このスタンド６を取り付ける３組の通孔４１はほぼ２００ｍｍずつ隔てられて設けられている。
【００４１】
ピストン５は、シリンダー５１と、このシリンダー５１の中に伸縮自在に挿入されているピストンロッド５２とからなる。そして、ピストンロッド５２の先端には雄ネジが設けられていて、この雄ネジをキャップ７の雌ネジ７１１に螺入してキャップ７を取り付けることができるようになっている。又、このピストンロッド５２の伸縮する距離、即ち、ピストンロッド５２のストロークの長さはほぼ３００ｍｍである。
このピストン５のシリンダー５１の前側と後側には、図示しない取付具の２個ずつ対になった取付孔が設けられていて、この取付孔と、試験台４の一端から２組目までの２個ずつ対になった２組の通孔４１、４１とに通されたボルトとナットで、このピストン５が試験台４に取り付けられている。
【００４２】
キャップ７は、雄形キャップ７１と雌形キャップ７２とからなる。
雄形キャップ７１は、図６に示すように、一端面に窪み７１２が設けられ、この窪み７１２の内周面には、ピストンロッド５２の先端に設けられた雄ネジに螺合する雌ネジ７１１が設けられている。この雄形キャップ７１の他端の外周面には雄ネジ７１３が設けられ、中間部の外周面には雌形キャップ７２の螺入をストップさせる突起のストッパー７１３が設けられている。
又、この雄形キャップ７１には、他端の端面から側面に貫通した通孔７３が設けられている。そして、側面に開口している通孔７３の内面には、圧縮空気を注入する管を螺入して取り付ける雌ネジ７３１が設けられている。
【００４３】
雌形キャップ７２は、図７に示すように、一端面に窪み７２１が設けられ、この窪み７２１の内周面には雄形キャップ７の雄ネジ７１３に螺合する雌ネジ７２５が設けられている。この雌形キャップ７２の他端面には配管１の外径とほぼ同じ径の窪み７２２が設けられている。そして、この窪み７２１と窪み７２２とは連通していて、貫通孔７２３が形成されている。
又、窪み７２２の内側面には合成ゴム層からなるゴム状弾性板７４が取り付けられている。
そして、この雌形キャップ７２の窪み７２１に雄形キャップ７１の他端を対向させ、雄形キャップの雄ネジ７１３を雌形キャップ７２の雌ネジ７２５に螺入すると、両者が連結されてキャップ７となる。
【００４４】
スタンド６は、図９に示すように、試験台４に取り付けられる基板６１と、この基板６１に立設された支持部６２と、この支持部６２を補強する補強板６３とからなる。
基板６１には試験台４に設けられた通孔４１に相対する位置に２個の通孔６１１が設けられている。支持板６２の上端には、管１１や、プラグ３の中央部３２１を挟持可能なＵ字形の窪み６２１が設けられている。そして、Ｕ字形の窪み６２１の上端面にはゴム板６５が貼り付けられている。
【００４５】
このスタンド６は、図１に示すように、基板６１に設けられている通孔６１１と試験台４に設けられている２個ずつ対になった通孔４１とに通されたボルトとナットで、試験台４に取り付けられている。このようにして、試験台４の一方の端部に１個のスタンド６が取り付けられ、このスタンド６からほぼ２００ｍｍずつ隔てて２個のスタンド６が取り付けられている。この実施例においては、端側のスタンド６を第一スタンド６、中央のスタンドを第二スタンド６、内側のスタンドを第三スタンド６と称する。
【００４６】
８は操作盤であり、この操作盤８にはシリンダー５１の中に加圧油を注入したり排出する管８１、８２と、この加圧油の圧力を測定する圧力計８３と、シリンダー５１の中に加圧油を圧入したり、排出してピストンロッド５２を伸ばしたり、縮めたりすることのできるスイッチ８４と、配管１の中に圧縮空気を注入する管８５と、配管１内の圧力を測定する圧力計８６と、配管１内に圧縮空気を注入するスイッチ８７とが設けられている。又、この配管８５の中間部には排気弁８８が取り付けられている。
【００４７】
そして、図２〜図５に示すように、管８１、８２をそれぞれピストン５のシリンダ５１の両側に取り付けて、操作盤８のスイッチ８４を操作すると、シリンダ５１の一方の側に加圧油が圧入され、他方の側の油が排出されたり、あるいは、逆に、他方の側の油が圧入され、一方の側の油が排出されたりして、シリンダ５１内に伸縮自在に挿入されているピストンロッド５２を伸縮させることができるようになっている。そして、この加圧油の圧力は圧力計８３で測定できるようになっている。
【００４８】
又、管８５の先端を雄形キャップ７１の通孔７３に設けられている雌ネジ７３１に螺入して、雌形キャップ７２に配管１を取り付け、操作盤８のスイッチ８７を操作すると、管８５を通して圧縮空気が配管１−１の中に注入され、この注入された圧縮空気を配管１内に封入することができるようになっている。そして、この封入された圧縮空気の圧力は圧力計８６で測定できるようになっている。
従って、一定期間放置した後、この配管１内に封入された圧縮空気の圧力の低下の有無を圧力計８６で測定することにより配管の漏れを検査できるようになっている。尚、測定が終了すると、排気弁８８を開いて配管１内の空気を大気中に放出させることができるようになっている。
【００４９】
次に、この配管の漏れ検査装置を使用して配管１の漏れを検査する方法について説明する。
先ず、図２に示す長さがほぼ５７３ｍｍの配管１−１の漏れを検査する方法について説明する。
検査する配管１−１の一端にプラグ３の栓部３１を取り付ける。
すると、このプラグ３は配管１の端面を気密に塞ぐ栓部３１と、この栓部３１の背後に設けられた係止部３２となるので、このプラグ３は配管１−１の一端は気密になる。
【００５０】
又、プラグ３の係止部３２を第一スタンド６の支持部６２のＵ字形の窪み６２１の中に挿入して取り付ける。
すると、プラグ３の係止部３２は配管１の管１１とほぼ同じ外周面を有する中央部３２１と、この中央部３２１の両側に周方向に突出した鍔部３２２とからなり、スタンド６の支持部６２には、係止部３２の中央部３２１または管を挟持可能なＵ字形の窪み６２１が設けられているので、管１１とほぼ同じ外周面を有するプラグ３の中央部３２１をＵ字形の窪み６２１の中に挿入することができるし、挿入すると、このスタンド６のＵ字形の支持部６２の窪み６２１の両側の壁によってプラグ３の係止部３２に設けられている中央部３２１が挟持されると同時に、プラグ３の中央部３２１の両側にある周方向に突出している２個の鍔部３２２、３２２がＵ字形の窪み６２１の両側の壁を挟むので、このプラグ３がスタンド６に前後左右に移動できないように係止されて配管１−１が第一スタンド６に取り付けられる。
【００５１】
又、配管１−１の中間部（管１１）を第二スタンド６や第三スタンド６の支持部６２のＵ字形の窪み６２１の中に挿入する。
すると、スタンド６の支持部６２には、係止部３２の中央部３２１または管１１を挟持可能なＵ字形の窪み６２１が設けられているから、配管１−１の管１１が支持部６２のＵ字形の窪み６２１の中に挿入されて支持される。
【００５２】
このように、管１１を途中のスタンド６の支持部６２のＵ字形の窪み６２１の中に挿入して取り付けることができるので、第二スタンド６と第三スタンド６を取り外さなくとも配管１−１を取り付けることができるし、配管１−１の中間部（管１１）がこの第二スタンド６と第三スタンド６の支持部６３に支持され配管１−１が撓まない。
このように、このプラグ３の係止部３２をスタンド６の支持部６２に取り付けると、図２に示すように、配管１の他端はピストン５の方向に向いた状態になって、配管１の一端が試験台４の他端部に取り付けられる。
【００５３】
次に、操作盤８のスイッチ８５を操作して、ピストンロッド５２を伸ばして先端に取り付けられているキャップ７を配管１の他端に押し付ける。
すると、このピストンロッド５２の先端に取り付けられたキャップ７の雌形キャップ７２の窪み７２２が押し付けられ、この窪み７２２の周囲に設けられているゴム状弾性板７４が配管１の周囲に気密に密着し、この配管１の他端が気密になる。
このように、ピストンロッド５２で配管１−１の他端を押しても、プラグ３がスタンド６に前後左右に移動しないように取り付けられているので、配管１−１が移動しないし、配管１−１の中間部が途中の第二スタンド６や第三スタンド６で支持されているので、配管１−１が変形することがない。
【００５４】
次に、操作盤８のスイッチ８７を操作して、管８５やキャップ７の雄形キャップ７１の通孔７３を通して、圧縮空気を配管１内に注入する。
すると、このキャップ７に通孔７３が設けられているので、この通孔７３から配管１内に圧縮空気を注入することができる。
そして、この圧縮空気の圧入を止め、この状態で一定期間放置して、圧縮空気の圧力の低下の有無を圧力計８６で測定する。
圧力の低下がないとを確認するとこの配管１は合格である。
【００５５】
この検査が終了すると、排気弁８８を開いて配管１内の空気を放出し、次の配管を取り付けて、漏れを検査する。
このように、配管１の一端にプラグ３を取り付け、このプラグ３をスタンド６に取り付け、ピストンロッド５２を伸ばして配管１の他端にキャップ７を押し付け、圧縮空気を圧入して、この圧力の低下を測定するだけあるので、配管１−１の漏れ検査が速く簡単に検査することができる。
【００５６】
次に、図３に示すように、長さほぼ３７３ｍｍの配管１−２の漏れを検査する方法について説明する。
この図３に示す配管１−２の漏れ検査方法を、図２に示す配管１−１の漏れ検査方法と比較すると、配管１−２が配管１−１より短いだけピストンロッド５２のストロークを長くして漏れを検査することが異なるだけである。
その他の方法は図２に示す配管１−１の漏れ検査方法とほぼ同じであるので説明を省略する。
このように、ピストンロッド５２のストロークの長さを変えることにより配管１−１より短い配管１−２の漏れを検査することができる。
【００５７】
次に、図４に示す、長さがほぼ３７３ｍｍの配管１−２の漏れを検査する他の方法について説明する。
この図４に示す配管１−２の漏れ検査方法を、図３に示す配管１−２の漏れ検査方法と比較すると、プラグ３が第二のスタンド６に取り付けられていること、配管１の一端を第一スタンド６より近い第二スタンド６に取り付けるだけピストンロッド５２のストロークの長さを短くすることが異なるだけである。
その他の方法は図３に示す配管１−２の漏れ検査方法とほぼ同じであるので説明を省略する。
【００５８】
次に、図５に示す配管１−３の漏れ検査方法を、図４に示す配管１−２の漏れ検査方法と比較すると、配管１−３の長さが短いこと、従って、ピストンロッド５２のストロークの長さを短くすることが異なる。
その他の方法は図４に示す配管１−２の漏れ検査方法とほぼ同じである。
この図２〜図５に示す配管１の漏れ検査方法から判るように、試験台４には、ピストンロッド５２のストロークの長さ（ほぼ３００ｍｍ）より短い距離（ほぼ２００ｍｍ）を隔てて３個のスタンド６が設けられているので、ピストンロッド５２のストロークの長さだけでは対応できないような長さの異なる種類の配管１を検査するときにも、プラグ３を最適位置にあるスタンド６に取り付けることにより対応できる。
【００５９】
（実施例２）
図１１は本発明の住宅ユニットの施工方法の一実施例を示すもので、住宅ユニットを組立てた組立住宅の間取りを示す平面図である。
【００６０】
図１１において、９は組立住宅であり、この組立住宅９は長さほぼ５７００ｍｍ、幅ほぼ２５００ｍｍ、高さほぼ２８００ｍｍの住宅ユニット９１が３個ずつ２列（合計６個）に据え付けられ、組み立てられたものであり、この２列の中央には、界壁９２が設けられて２戸に分割された共同住宅である。
この共同住宅のそれぞれには、洋室Ｒ、リビングダイニングキッチンＬＤＫ、ホールＨ、玄関Ｇ、浴室Ｙ、洗面所Ｓ、便所Ｚが設けられている。そして、リビングダイニングキッチンＬＤＫには調理台Ｃが据え付けられ、洗面所Ｓには洗面台Ｄが据え付けられ、浴室Ｙには浴槽Ｅが据え付けられ、便所ＺにはロータンクＦが取り付けられている。
【００６１】
又、この組立住宅９の床下には、浴室Ｙ、洗面所Ｓ、便所Ｚ、調理台Ｃに通ずる基管９３が設けられている。
そして、浴室Ｙの床下の基管９３から、長さがほぼ３７３ｍｍの配管１−２が立ち上げられて、浴室Ｙに据え付けられている浴槽Ｅの側縁に設けられている水栓に連結されている。
又、洗面所Ｓの床下の基管９３から長さがほぼ５７３ｍｍの配管１−１が立ち上げられて、洗面所Ｓに据え付けられている洗面台Ｄの上に取り付けられている水栓に連結されている。
【００６２】
又、便所Ｚの床下の基管９３から長さがほぼ１７３ｍｍの配管１−３が立ち上げられて、便所Ｚ内に取り付けられているロータンクＦに連結されている。
又、リビングダイニングキッチンＬＤＫの床下の基管９３から，長さがほぼ５７３ｍｍの配管１−１が立ち上げられて、調理台Ｃの上に取り付けられている水栓に連結されている。
これ等の配管１−１、１−２、１−３は工場で実施例１で説明した方法で漏れを検査したものである。
【００６３】
次に、この組立住宅９の施工方法を説明する。
先ず工場で住宅ユニット９１を製造する。
この住宅ユニット９１の製造方法は従来とほぼ同じであるので説明を省略する。尚、この工場で製造された住宅ユニット９１には、浴槽Ｅ、洗面台Ｄ、ロータンクＦ、調理台Ｃ等が取り付けられ、この浴槽Ｅ、洗面台Ｄ、ロータンクＦ、調理台Ｃ等にはそれぞれ実施例１で説明した配管の漏れ検査方法で検査した配管１−１、１−２、１−３が取り付けられている。
このようにして製造した６個の住宅ユニット９１を施工現場に運搬し、施工現場で住宅ユニット９１を組立てて、種々な仕上げを行うと、組立住宅９が完成する。
【００６４】
この際の配管方法について説明する。
据え付けられた組立住宅９の床下に基管９３を取り付け、この基管９３に、工場で取り付けられている配管１−１、１−２、１−３を連結する。
このように、実施例１で説明した方法で検査した配管１−１、１−２、１−３を取り付けた６個の住宅ユニット９１を施工現場に運搬し、この６個の住宅ユニット９１を施工現場に据え付けて組立住宅９とする。この際、組立住宅９の配管を完成させる方法は、床下に基管９３を設け、この基管９３に、既に工場で取り付けられている配管１を連結するだけであるので、住宅ユニット９１を据え付けた後に基管９３を取り付け、配管１を取り付け、この基管９３と配管１とを連結する従来の場合と比較すると施工現場での作業が少なくなる。しかも、工場で検査した配管１−１、１−２、１−３は検査されているので水漏れ等がなく、従って、組立住宅９に取り付けられた配管１と基管９３との連結部のみの漏れを検査すればよく、検査が簡単である。
【００８４】
【発明の効果】
請求項１記載の発明は、プラグは配管の端面を気密に塞ぐ栓部と、この栓部の背後に設けられた係止部となるから、このプラグの栓部を配管の一端に取り付けると、このプラグは配管の一端に気密に取り付けられる。
又、スタンドにはプラグを係止する支持部があるから、プラグをスタンドに係止させて取り付けることができる。
又、ピストンは試験台の一端部に設けられ、スタンドは試験台の他端部に設けられているから、このプラグの係止部をスタンドの支持部に取り付けると、配管の他端はピストン方向に向いた状態になって取り付けられる。
【００８５】
又、ピストンは試験台に固定されたシリダーとこのシリンダーに伸縮自在に挿入されたピストンロッドとからなり、このピストンロッドの先端には、配管の端面を気密に塞ぐキャップが取り付けられているから、ピストンロッドを伸ばして、ピストンロッドの先端に取り付けられているキャップを配管の他端に押し付けると、この配管の他端が気密になる。
このように、ピストンロッドを伸ばして配管の一端を押し付ければよいので、配管の長さが異なっても、このピストンロッドのストロークの長さを変えることにより配管の一端を気密にするとができる。
【００８６】
又、キャップには通孔が設けられているから、この通孔から圧縮空気を注入することができるし、この注入した配管内の圧縮空気の圧力の低下の有無を測定することにより配管の漏れを検査することができる。
このような構造になっているので、配管の一端にプラグを取り付け、このプラグをスタンドに取り付け、ピストンロッドを伸ばして配管の他端にキャップを押し付けるだけで配管の洩れを検査できる。従って、多くの配管を速く簡単に検査することができる。従って、長さの異なる多数の配管を検査する住宅ユニットに使用する配管の漏れ検査に好適である。
【００８７】
また、試験台には、ピストンロッドのストロークの長さより短い距離を隔てて、前記ピストンロッドの軸方向に所定の間隔をあけて複数個のスタンドが設けられているから、ピストンロッドのストロークの長さだけでは対応できないような長さの異なる複数種類の配管の検査にも対応できる。
【００８８】
さらに、プラグの係止部は、管の外周面とほぼ同じ外周面を有する中央部と、この中央部の両側に周方向に突出した鍔部とからなり、前記スタンドの支持部には、係止部の係止部の中央部または管を挟持可能なＵ字形の窪みが設けられているから、プラグの係止部をスタンドのＵ字形の窪みの中に入れて取り付けると、Ｕ字形の窪みの両側の壁によってプラグの中央部が挟持されると同時に、プラグの中央部の両側にある周方向に突出している鍔部がＵ字形の窪みの両側の壁を挟んで、このプラグをスタンドに前後左右に移動できないように取り付けることができる。
【００８９】
又、係止部の中央部または管を挟持可能なＵ字形の窪みが設けられているから、途中のスタンドのＵ字形の窪みの中に配管の中間部を入れて支持させることができる。従って、スタンドを取り外さなくとも配管を取り付けることができるし、配管の途中が途中のスタンドで支持され、配管が撓まないし、他端をピストンロッドで押した際にも、配管が変形し難くなる。
【００９０】
請求項２記載の発明は、請求項１に記載の配管の洩れ検査装置を使用して配管洩れを検査する方法であるから、請求項１における効果の項で説明したように、簡単に速く配管の漏れが検査できるし、又、長さの異なる配管も漏れが測定できる。従って、住宅ユニットに使用する配管の漏れを測定するのに好適である。
【０１００】
請求項３記載の発明は、住宅ユニットの生産工場において住宅ユニットを生産する際、もしくは、ユニット住宅の施工前に、請求項２に記載の方法で配管の洩れを検査した後に、この配管を住宅ユニットに取り付け、この複数個の住宅ユニットを施工現場に据え付けると共に、配管同士を連結するから、住宅ユニットを据え付けた後に配管する場合と比較すると施工現場での作業が少なくなる。しかも、検査された配管は水漏れ等がない。従って、据え付けた後にこの工場等で取り付けた配管の漏れ検査をする必要がなく、施工後に各住宅ユニットに取り付けられた配管の連結部のみを検査すればよく施工後の検査が簡単になる。
【図面の簡単な説明】
【図１】本発明の配管の漏れ検査装置及び検査方法の一実施例を示すもので、配管漏れ検査装置の主要部を示す正面図である。
【図２】長さがほぼ５７３ｍｍの配管を検査している状態の配管とピストンを示す正面図である。
【図３】長さがほぼ３７３ｍｍの配管を検査している状態の一例の配管とピストンを示す正面図である。
【図４】長さがほぼ３７３ｍｍの配管を検査している状態の他の例の配管とピストンを示す正面図である。
【図５】長さがほぼ１７３ｍｍの配管を検査している状態の配管とピストンを示す正面
図である。
【図６】（イ）は雄形キャップの正面図、（ロ）は（イ）の側面図、（ハ）は（ロ）のＡ−Ａ線における断面図である。
【図７】（イ）は雌形キャップを示す正面図、（ロ）は（イ）の側面図、（ハ）は（ロ）のＢ−Ｂ線における断面図である。
【図８】（イ）はプラグの一部切欠正面図、（ロ）は（イ）の側面図である。
【図９】（イ）はスタンドの正面図、（ロ）は（イ）は側面図、（ハ）は（イ）の平面図である。
【図１０】（イ）は試験台の平面図、（ロ）は（イ）の正面図、（ハ）は（イ）の側面図である。
【図１１】本発明の住宅ユニットの組立て方法の一実施例を示すもので、住宅ユニットを組立てた組立住宅の間取りを示す平面図である。
【図１２】従来の配管の漏れ検査方法における配管を圧縮空気発生源とを接続している状態を示す正面図である。
【符号の説明】
１      配管
２      配管の洩れ検査装置
３      プラグ
３１    栓部
３２    係止部
３２１  中央部
３２２  鍔部
４      試験台
５      ピストン
５１    シリンダー
５２    ピストンロッド
６      スタンド
７      キャップ
７４    ゴム弾性面
８      操作板
９      組立住宅
９１    住宅ユニット
【図１】
0004195160.tif 000002
【図２】
0004195160.tif 000003
【図３】
0004195160.tif 000004
【図４】
0004195160.tif 000005
【図５】
0004195160.tif 000006
【図６】
0004195160.tif 000007
【図７】
0004195160.tif 000008
【図８】
0004195160.tif 000009
【図９】
0004195160.tif 000010
【図１０】
0004195160.tif 000011
【図１１】
0004195160.tif 000012
【図１２】
0004195160.tif 000013